(57)【要約】      （修正有）【課題】定期的に特殊なフィルター部を交換する際にかかるメンテナンスコストをなくすことができるだけでなく、内部の構成要素を最小限に抑えて体積を減らすことにより、生産コストを下げることができ、携帯が簡便な携帯用空気清浄機を提供する。【解決手段】本発明の携帯用空気清浄機は、空気圧縮機２２によって外部の空気を吸入しながら１次汚染物質をプレフィルター２４によってろ過させ、このろ過された圧縮空気をサイフォン管２６とディフューザー２６ａによって水中に噴出させて、空気中に含まれた超微細粉塵を２次分離させることによって、最終浄化された純粋な加湿空気をカニューレ２８を介してユーザーの鼻腔や口腔に供給する構造である。【選択図】図２
2018009779.tif 000002
【特許請求の範囲】
【請求項１】
本体と、前記本体の内部にバッテリー、空気圧縮機、水がそれぞれ分離収容されるように上面がそれぞれ開口された第１〜第３収容部と、前記第１〜第３収容部の開口をそれぞれ開閉する第１〜第３カバーと、前記本体の下面に形成されて前記第２収容部の下部と通路が連結されながら内部にプレフィルターを収容する空気吸入口と、前記第３収容部の水に水沒されるように立てられながら上部が前記空気圧縮機の空気排出口と連結されるサイフォン管と、前記第３収容部の上部に設置されて浄化された加湿空気をユーザーに供給するカニューレとと、前記本体の側面の一側に設置されて前記空気圧縮機の駆動をオン／オフしながら空気供給量を調節する電源スイッチから構成されたことを特徴とする、携帯用空気清浄機。
【請求項２】
前記本体の側面の一側には、前記バッテリーを充電するように充電アダプダコネクタが設置されたことを特徴とする、請求項１に記載の携帯用空気清浄機。
【請求項３】
前記本体の後面の一側には、ベルトループが形成されたことを特徴とする、請求項１に記載の携帯用空気清浄機。
【請求項４】
前記第２カバーの中央と第３カバーの一側には、前記空気圧縮機の空気排出口とサイフォン管の上部を連結ホースを媒介に連結するように、第１及び第２フランジが設置され、前記第３カバーの他側には、前記カニューレが連結されるように、第３フランジが設置されたことを特徴とする、請求項１に記載の携帯用空気清浄機。
【請求項５】
前記空気吸入口の開口には、前記プレフィルターが交換及び掃除が可能に開閉しながら、外部の空気が吸入されるように、ヒンジ結合されるカバー網体が設置されたことを特徴とする、請求項１に記載の携帯用空気清浄機。
【請求項６】
前記サイフォン管の下部には、ディフューザーが設置されたことを特徴とする、請求項１に記載の携帯用空気清浄機。
【発明の詳細な説明】
【技術分野】
【０００１】
本発明は、吸入式携帯用空気清浄機に関し、より詳細には、場所に関係なく手軽に携帯しながら水を利用した浄化された加湿空気を吸入することができる携帯用空気清浄機に関する。
【背景技術】
【０００２】
一般的に、生活水準が向上し、週５日勤務制が本格的に導入されることによって、人々の余暇活動も拡大されている。このような活動などは、登山や運動、同好会などの野外活動の増加につながっているのが実情である。また、ウェルビーイングブームと共に健康に対する認識も高まって快適な環境に対する要求も増大している。
【０００３】
春季に黄砂や花粉、自動車の煤煙などによって屋外の大気環境が快適でない場合が多く、一般的な古い建築物の室内は、カビ類などの微生物及びアスベストなどの有害物質にさらされているため、喘息やアレルギー患者が増加しているのが実情である。
【０００４】
特に呼吸性粉塵は、粒子のサイズが１０μｍ未満の微細粉塵（ＰＭ１０）であり、このような粒子は、一般的な黄砂用マスクをかぶっても遮断されず、呼吸性粉塵のうち、２．５μｍ以下の微細粒子は、肺の中に深く侵透することができる粉塵であり、塵肺症を誘発する粉塵（概ね０．５〜５μｍ範囲）である。
【０００５】
従って、別途に高価の空気清浄機が家庭及び事務所では必須項目として定着している傾向にある。
【０００６】
しかし、空気清浄機は、非常に大きなサイズで製作され、携帯が不可能であり、また、大きなサイズで製作されるため、これに伴う部品のサイズによってコストの上昇をもたらすという問題点があった。
【０００７】
それで提案された従来技術である特許文献１の携帯用ミニ空気清浄機は、送風機を利用して内部に流入された空気を様々な機能を持つ複数のフィルターで浄化して、ユーザーにとってきれいな空気を呼吸するようにするためのものであって、通気穴、通し調節回転板、調節回転板取っ手からなる上部通気部と、空気浄化フィルター部、イオン発生器、外部空気通し穴からなる中間空気浄化空間及び送風機と外部空気吸入穴からなる下部装置部で構成されている。
【０００８】
しかし、このように構成された従来の携帯用ミニ空気清浄機は、汚染物質除去フィルター、抗菌フィルター、微細粉塵フィルターからなる複数の空気浄化フィルター部によって空気を浄化させる構造になっているが、このような構造は、水を使用しないので超微細粉塵をろ過させることができず、加湿効果を期待することができないだけでなく、定期的に、特定の会社の特殊フィルター部を交換するのに多くのメンテナンスコストが発生されるという問題点があり、また、イオン発生器が送風機などの構成要素によって構造が複雑で電源消費量が大きいため、長時間の携帯が難しいという問題点があった。
【先行技術文献】
【特許文献】
【０００９】
【特許文献１】韓国登録実用新案第０２７３３４６号公報
【発明の概要】
【発明が解決しようとする課題】
【００１０】
本発明の目的は、既存の諸般の問題点を鑑みて、これを解決しようと提案されたものであって、定期的に特殊なフィルター部を交換する際にかかるメンテナンスコストをなくすことができるだけでなく、内部の構成要素を最小限に抑えて体積を減らすことにより、生産コストを下げることができ、携帯が簡便な携帯用空気清浄機を提供することにある。
【課題を解決するための手段】
【００１１】
前記の技術的課題を解決するための本発明の実施例による携帯用空気清浄機は、本体と、前記本体の内部にバッテリー、空気圧縮機、水がそれぞれ分離収容されるように上面がそれぞれ開口された第１〜第３収容部と、前記第１〜第３収容部の開口をそれぞれ開閉する第１〜第３カバーと、前記本体の下面に形成されて前記第２収容部の下部と通路が連結されながら内部にプレフィルターを収容する空気吸入口と、前記第３収容部の水に水沒されるように立てられながら上部が前記空気圧縮機の空気排出口と連結されるサイフォン管と、前記第３収容部の上部に設置されて浄化された加湿空気をユーザーに供給するカニューレと、前記本体の側面の一側に設置されて前記空気圧縮機の駆動をオン／オフしながら空気供給量を調節する電源スイッチから構成されたことを特徴とする。
【００１２】
他の実施例として、本発明の本体の側面の一側には、前記バッテリーを充電するように充電アダプダコネクタが設置されたことを特徴とする。
【００１３】
他の実施例として、本発明の本体の後面の一側には、ベルトループが形成されたことを特徴とする。
【００１４】
他の実施例として、本発明の第２カバーの中央と第３カバーの一側には、前記空気圧縮機の空気排出口とサイフォン管の上部を連結ホースを媒介に連結するように、第１及び第２フランジが設置され、前記第３カバーの他側には、前記カニューレが連結されるように、第３フランジが設置されたことを特徴とする。
【００１５】
他の実施例として、本発明の空気吸入口の開口には、前記プレフィルターが交換及び掃除が可能に開閉しながら、外部の空気が吸入されるように、ヒンジ結合されるカバー網体が設置されたことを特徴とする。
【００１６】
他の実施例として、本発明のサイフォン管の下部には、ディフューザーが設置されたことを特徴とする。
【発明の効果】
【００１７】
本発明の携帯用空気清浄機は、空気圧縮機によって外部の空気を吸入しながら１次汚染物質をプレフィルターによってろ過させ、このろ過された圧縮空気をサイフォン管とディフューザーによって水中に噴出させて、空気中に含まれた超微細粉塵を２次分離させることによって、最終浄化された純粋な加湿空気をカニューレを介してユーザーの鼻腔や口腔に供給する構造であるため、定期的に特殊なフィルターを交換するたびにかかるメンテナンスコストをなくすことができるだけでなく、内部の構成要素を最小限に抑えて体積を減らすことにより、生産コストを下げることができ、携帯が簡便なメリットがある。
【図面の簡単な説明】
【００１８】
【図１】本発明による携帯用空気清浄機を示した平面斜視図である。
【図２】本発明による携帯用空気清浄機を示した縦断面図である。
【図３】本発明による携帯用空気清浄機を示した底面斜視図である。
【発明を実施するための形態】
【００１９】
以下、本発明の実施例について添付の図１〜図３を参照して詳細に説明する。
【００２０】
本発明の携帯用空気清浄機は、本体１０と、前記本体１０の内部にバッテリー２０、空気圧縮機２２、水Ｗがそれぞれ分離収容されるように上面がそれぞれ開口された第１〜第３収容部１０ａ、１０ｂ、１０ｃと、前記第１〜第３収容部１０ａ、１０ｂ、１０ｃの開口をそれぞれ開閉する第１〜第３カバー１２ａ、１２ｂ、１２ｃと、前記本体１０の下面に形成されて前記第２収容部１０ｂの下部と通路が連結されながら内部にプレフィルター２４を収容する空気吸入口１４と、前記第３収容部１０ｃの水Ｗに水沒されるように立てられながら上部が前記空気圧縮機２２の空気排出口２２ａと連結されるように下部にディフューザー２６ａが設置されたサイフォン管２６と、前記第３収容部１０ｃの上部に設置されて浄化された加湿空気をユーザーに供給するカニューレ２８と、前記本体１０の側面の一側に設置されて前記空気圧縮機２２の駆動をオン／オフしながら空気供給量を調節する電源スイッチ３０から構成されている。
【００２１】
すなわち、前記本体１０の側面の一側には、前記電源スイッチ３０と隣接する部分には前記バッテリー２０を充電するように充電アダプダコネクタ３２が設置され、前記本体１０の後面の一側には、ベルト（図示ぜず）を媒介に本体１０をユーザーの身体に着用するようにベルトループ３４が形成されている。
【００２２】
前記第１収容部１０ａの内部の底には、前記バッテリー２０、空気圧縮機２２、電源スイッチ３０、充電アダプダコネクタ３２と電気的に接続されて制御するようにコントロールボックス３６が設置されている。
【００２３】
前記第１〜第３カバー１２ａ、１２ｂ、１２ｃは、前記第１〜第３収容部１０ａ、１０ｂ、１０ｃをそれぞれ開閉式で開閉するようにその一側が前記本体１０の一側とそれぞれヒンジ結合され、その他側が本体１０からそれぞれ結合または分離されるようにロックボタン（図示せず）が設置されている。
【００２４】
前記第３カバー１２ｃは、前記第３収容部１０ｃの上部開口を覆うときに、内部に貯蔵された水Ｗが漏水されないようにＯリング３８が設置されている。
【００２５】
前記第２カバー１２ｂの中央と第３カバー１２ｃの一側には、前記空気圧縮機２２の空気排出口２２ａとサイフォン管２６の上部を連結ホース４０を媒介に連結するように第１及び第２フランジ４２、４４が設置され、前記第３カバー１２ｃの他側には、前記カニューレ２８が連結されるように第３フランジ４６が設置されている。
【００２６】
前記空気吸入口１４の開口には、前記プレフィルター２４が交換及び掃除が可能に開閉しながら外部の空気が吸入されるようにヒンジ結合されるカバー網体１６が設置されている。
【００２７】
前記バッテリー２０は、充電用に使用するのが好ましいが、使い捨てを使用しても構わないように構成することもできる。
【００２８】
前記プレフィルター２４は、永久的に使用することができながら、水洗浄が可能なスポンジから構成するのが好ましい。
【００２９】
前記カニューレ２８は、鼻腔や口腔に直接着用されるか、マスクに連結されて使用されることもできる。
【００３０】
次に、このように構成された本発明の携帯用空気清浄機に対する作用及び効果を説明する。
【００３１】
本発明の携帯用空気清浄機を使用するためには、先ず、第３収容部１０ｃに一定の水位に水Ｗを満たした後、本体１０の側面に設置された電源スイッチ３０を押すと、コントロールボックス３６を介して制御された信号が空気圧縮機２２を駆動させることにより、外部の空気がカバー網体１６を経てプレフィルター２４を通過しながら、空気中に含まれた汚染物質が１次ろ過され、このろ過された空気は、空気圧縮機２２を経ながら圧縮されると同時に、空気圧縮機２２の上部側の空気排出口２２ａと連結された連結ホース４０を介してサイフォン管２６へ流れることになる。
【００３２】
このとき、サイフォン管２６を通過する空気は、サイフォン管２６の下部に設置されたディフューザー２６ａを介して第３収容部１０ｃに満たされた水Ｗの中で拡散しながら、微細な気泡Ｂを形成することになり、この気泡Ｂは、水Ｗの水面まで徐々に浮び上がりながら裂けると同時に、空気中に含まれた超微細粉塵を２次分離することになる。
【００３３】
すなわち、空気中に含まれた超微細粉塵は、空気と分離されながら水Ｗに浮遊することになり、超微細粉塵と分離されて浄化された純粋な加湿空気は、第３カバー１２ｃに第３フランジ４４を媒介に連結されたカニューレ２８を介して外部に噴出されることにより、ユーザーは、カニューレ２８を鼻腔や口腔に隣接させて浄化された加湿空気を吸うことができるものである。
【００３４】
このとき、本体１０は、その後面に形成されたベルトループ３４を利用して、ユーザーの腰などに着用することができるので、場所に関係なく、大気汚染、黄砂、微細粉塵に備えて手軽に携帯して浄化された加湿空気を持続的に吸入することができる。
【００３５】
従って、本発明は、空気圧縮機２２によって外部の空気を吸入しながら１次汚染物質をプレフィルター２４によってろ過させ、このろ過された圧縮空気をサイフォン管２６とディフューザー２６ａによって水（Ｗ）中に噴出させて、空気中に含まれた超微細粉塵を２次分離させることによって、最終浄化された純粋な加湿空気をカニューレ２８を介してユーザーの鼻腔や口腔に供給する構造であるため、定期的に特殊なフィルターを交換するたびにかかるメンテナンスコストをなくすことができるだけでなく、内部の構成要素を最小限に抑えて体積を減らすことにより、生産コストを下げることができ、携帯が簡便なメリットがある。
【００３６】
一方、本発明は、前述した実施例にのみ限定されるものではなく、本発明の要旨を逸脱しない範囲内で修正及び変形して実施することができ、そのような修正及び変形が加えられた技術思想も以下の特許請求の範囲に属するものとして見なければならない。
【符号の説明】
【００３７】
Ｗ    水
Ｂ    気泡
１０    本体
１０ａ、１０ｂ、１０ｃ    第１〜第３収容部
１２ａ、１２ｂ、１２ｃ    第１〜第３カバー      
１４    空気吸入口
１６    カバー網体
２０    バッテリー
２２    空気圧縮機
２２ａ    空気排出口
２４    プレフィルター
２６    サイフォン管
２６ａ    ディフューザー
２８    カニューレ
３０    電源スイッチ
３２    充電アダプダコネクタ
３４    ベルトループ
３６    コントロールボックス
３８    Ｏリング
４０    連結ホース
４２、４４、４６    第１〜第３フランジ
【図１】
2018009779.tif 000003
【図２】
2018009779.tif 000004
【図３】
2018009779.tif 000005